(57)【要約】【課題】害虫・害鳥による農作物の被害は、全国的に広がっている。収穫時期が近づいた野菜や果物が被害を受けないように、防虫・防鳥ネットが使用されているが、長尺ものが多く、作業性が悪い。従来の防鳥網のようなものでは、鳥が絡まって死亡する被害が各地で発生している。強風に対しても耐えられるように配慮した防虫・防鳥ネットはなく、農家からは、取り扱い性の良いネットの要望が強かった。【解決手段】本考案では、軽量化するためにＦＲＰの骨を使用し、数平方メートル以下の大きさの広がりのネットとし、しかもそのネットが傘のように開閉でき、必要な作物にかぶせて使用し、その骨の先は、２０〜５０センチメートルを地中に差し込み、骨に取り付けていないネットの周辺の端に土をかぶせる構造とした。これらによって強風にも耐えられる防虫・防鳥ネットとして、作業性と共に多くの課題を解決した。【選択図】    図３
0003106056.tif 000002
【実用新案登録請求の範囲】
【請求項１】
ファイバー・リインフォースド・プラスチックを使用した骨にネットが取り付けられており、ネットは骨によって開閉が可能であり、かつ骨の先は土の中に差し込み可能な構造を有する防虫及び防鳥ネット
【請求項２】
ネットが取り付けられた４本の骨によりネットの開閉が可能であり、地面面積で４平方メートルまで広げられ、家庭菜園や果樹園の作物の被覆ができ、害虫や害鳥より作物を保護する請求項１の新規なネット
【請求項３】
骨に取り付けられたネットの裾が、フリーになっており、骨を地中に差し込んだ後、裾のネットに土をかけて、強風に耐えられる構造の請求項１及び２の防虫及び防鳥ネット
【請求項４】
強風によって倒壊しないように、さらに支柱或いはロープにより地面或いは周辺に固定されて使用する請求項１、２及び３の家庭菜園或いは果樹園用の防虫及び防鳥ネット
【考案の詳細な説明】
【技術分野】
【０００１】本考案は、家庭菜園や果樹園の作物を害虫や害鳥より保護する防虫並びに防鳥ネットに関するものである。
【背景技術】
【０００２】福島県の夏秋キューリは、アブラムシの媒介するウイルスによって感染することが解明されている。その場合、アーチ型の支柱を並べて防虫ネットで被覆する事によりウイルス感染を防ぐことができることを認めている。しかし、収穫までの全期間中ネットを使用すると、照度の不足による生育への影響が起こるため、途中で防虫ネットの除去が必要であり、その作業が大変である（非特許文献１）。みつばちの放し飼いによる全期間被覆の研究もあるが、みつばち導入初期の花数不足により給餌が必要である問題が発生する。大分県の小ネギでは、夏期の高温乾燥時に、ネギハモグリバエ、ネギアザミウマの被害が深刻な問題になっている。また、通常のネット構造の場合には、強風に耐える構造が難しいと云われており、強風にも耐え、しかも作業性の良い防虫ネットが求められていた（非特許文献２）。【０００３】防鳥ネットについては、防鳥網が使用されることが多く、鳥たちが死ぬことが各地で報告されている。これはネットを張りっぱなしにするためであり、手軽に取り外しの可能な防鳥ネットが必要であった（非特許文献３）。さらに、従来よりサクランボ、ブルーベリー、柿、いちじく等の果実が、熟す頃に鳥に食べられたり、害虫の侵入により商品価値を落とすことは良く知られている。ネット以外にも、一般には、光るテープ、古いコンパクトディスク、ビニールの風に揺れる風船様のものを吊り下げて、鳥を驚かし、被害を防ぐことが試みられているが、効果がない（非特許文献４）。【０００４】
【非特許文献１】福島県農業試験所研究ノート２０号
【非特許文献２】大分県農業技術センター植物防疫部研究報告２００３年９月号
【非特許文献３】鳥学研究会ニュース  １９９３年１０月号
【非特許文献４】農業技術研究  １９９１年  ９月号（４５巻）６８頁
【考案の開示】
【考案が解決しょうとする課題】
【０００５】本考案で解決しようとしている課題は、１作業性からみて、開閉が容易な防虫・防鳥ネット構造を考案すること、２そのためには、軽量であること、３台風によっても倒壊しない構造にすること等であり、さらに、１０メートル以上の長い網の防鳥ネット使用は、展開作業に高度な技能が必要である。これら多くの課題を解決しようとする考案である。
【課題を解決するための手段】
【０００６】アーチ型のパイプを使用した、かまぼこ温室型の１０メートル以上の長いネット構造ではなく、長くても３メートル程度の開閉可能なネットとする。さらに軽量化を図るために、ファイバー・リインフォースド・プラスチック（ＦＲＰ）の骨を採用し、作業性を良くする。しかもネットに取り付けたＦＲＰ製の骨によって、傘のように開閉を容易にする。さらに、台風のような強風に耐えてそのまま使用できるように、地面深く骨を差し込む方式とし、必要な場合支柱やロープを使用して、強風にも耐える構造とする。
【考案の効果】
【０００７】ネットの設置が容易になったため、害虫の発生にあわせて、その時期に被覆できる効果がある。コマツナやチンゲンサイ等のアブラナ科の軟弱野菜では、生育を損なわないで、キスジノミハムやコナガ等の葉を食害する害虫が防げる。無農薬野菜を目指す葉菜類の害虫防御にも大いに効果がある。ＦＲＰの骨を使用すると軽量化し、開閉作業が容易となり、必要の期間のみに設置することが、やり易くなった。
【考案を実施するための最良の形態】
【０００８】本考案を実施するための形態を図によって説明する。図１ａｂは、１の移動骨を下に押すことによりネットが開くようにした骨構造である。図２ａｂｃは、ネットの下から１の移動する骨を引っ張って、ｃからａのように上部の骨が三つ折れになる骨構造を示してある。図３は４本のＦＲＰの骨に取り付けた防虫・防鳥ネットであり４本の骨は地中に差し込んで位置を固定している。ネットの端は、骨に固定しないで裾が広がるようにして、土をかぶせて、強風にも耐えられる構造にした。骨はガラス繊維のＦＲＰとして軽量化し、２〜５平方メートル程度のネット構造体は、容易に運搬でき、一人で開閉できる。サクランボの木やいちじくの木に広げながらかぶせて、骨を地中に差し込み固定する。さらに周辺に土をかけて安定化させる。取り外しの時には、裾の土を除去し、骨を地中から抜きながら果樹より外してたたむことができる。【０００９】キューリの場合には、カバーする地面が長方形の広がりにし、キューリの蔓の列をカバーするように、骨の間隔を変化させてネットを取り付けて使用し、キューリ畑の畝に被覆させて使用する。本考案の特徴は、傘のような構造であるが、図３の模式図のように骨は地中深く差し込める構造であり、カバーしたほ場の周辺に、ネットを広げて
土をかけ、強風にも耐える安定構造とした所にある。収穫が終わると折りたたんで、倉庫にしまい、また翌年使用するために軽量化して取り扱い性のよい製品とした。収穫が何日か連続する果実の場合のために、ネットの一部が開閉し、手を差し入れて収穫できるように、ファスナーを所々に取り付けたり、ポリエチレンロープで合わせ加工によるネットに開閉窓を設置した構造にする。風の心配のない時には、ネットの裾の土を除去して取り外して収穫し、そのまま設置して長期間使用することもできる。
【実施例１】
【００１０】実施例を示して報告する。背の高さ約１．２メートル、枝の広がり１メートル程度のなす畑に使用した。従来から鳥がつついて熟れかけたなすをいためる被害があったので、畝に連続してカバーして被害を防御した。２本ごとに一つのネットをかけた。
骨は、ガラス繊維の７ｍｍの四角な骨を使用し、ネットはメッシュの大きさ３０ｍｍのブルーのポリエステルネットを使用し、骨に取り付けて防鳥ネットとした。図１の上から開閉できる構造のネットとして、骨は約２０センチメートル地中に差し込み、骨に取り付けていないで余した１０センチメートルの周辺のネットに土をかけて使用した。毎日の収穫のために、直径１ミリメートルのポリエチレンの細いロープで、水平に合わせ加工して、窓をつくり収穫をし易くした。ネットは、０．８ミリメートルの比較的太いポリエステルであり、防鳥網のように、鳥が絡まって死亡することはなかった。
【産業上の利用可能性】
【００１１】小型の果樹については、小型の防虫・防鳥ネットを使用し、１本１本ネットをかけて、高品質の果実を生産することができ、市場の取引価格も高価となり収益性も改善する。全国の軟弱野菜の産地から害虫による食害が伝えられているが、本考案のネットによりこれらの被害を防御できる。各地の農業特産物の生産に当たり、その評価を高める効果があり、作業性が良いので、広く利用してもらえる防虫・防鳥ネットである。
【図面の簡単な説明】
【００１２】
【図１】上部より開閉できる方式のネットの骨構造  ａ  たたんだ骨の状態  ｂ  開いた骨の状態
【図２】内部より開閉できる三つ折りのネットの骨構造  ａ  折りたたんだ骨の状態  ｂ  ほとんど開いた骨の状態  ｃ  開いた骨の状態
【図３】４本の骨構造に取り付けた防虫・防鳥ネット、骨は地中に差し込まれ、ネットの端には土がかけてある。
【符号の説明】
【００１３】１ネットを開閉するために移動させる骨
２ネットを支える骨
３ネットを支える地上に立っている骨
４１と連動しネットを開閉する内部の骨
５地中に差し込んだ４本の骨
６土をかぶせて地中に入ったネットの先
７端のネットの上にかぶせた土
８骨に取り付けたネットによる防虫・防鳥ネットの模式図
【図１】
0003106056.tif 000003
【図２】
0003106056.tif 000004
【図３】
0003106056.tif 000005